(57)【特許請求の範囲】
【請求項１】
吸引力を発生する掃除機本体に連通する吸込具と、
前記吸込具の下面に開口する収容部に配置された回転清掃体と、
前記回転清掃体の軸方向端部に配置され、前記回転清掃体を着脱自在に保持する軸受押さえ部材と、
前記軸受押さえ部材の下面に設けられた刷毛と、
前記軸受押さえ部材の下面から前記刷毛の下端より下方に突出する車輪と、
を備え、
前記軸受押さえ部材は、下面が下方へ膨出形成された前部と、下面が下方へ膨出形成された後部と、前記前部と前記後部とを連結し、清掃面との間に吸引路として機能する溝が設けられた中間部と、を備え、
前記刷毛は、前記前部の下面の前後に亘って配置されるとともに、その後端部が前記溝に向けて延在していることを特徴とする電気掃除機。
【請求項２】
前記後部の下面は前記前部の下面よりも上方に位置していることを特徴とする請求項１に記載の電気掃除機。
【請求項３】
前記回転清掃体の後方において前記吸込具の下面には、前記回転清掃体の軸方向に沿って延びる固定刷毛が設けられており、前記固定刷毛の軸線の延長上に前記車輪が配置されていることを特徴とする請求項１または請求項２に記載の電気掃除機。
【請求項４】
前記回転清掃体の後方において前記吸込具の下面略中央部には、前記回転清掃体の駆動スイッチを兼ねるローラが配置されており、前記吸込具の前後方向の中心線を対称軸とする左右対称位置に前記車輪が配置されていることを特徴とする請求項１から請求項３のいずれか１項に記載の電気掃除機。
【請求項５】
前記車輪は、前記軸受押さえ部材に設けられた車輪収容部に収容されており、前記車輪収容部には、前記収容部に連通する開口が形成されていることを特徴とする請求項１から請求項４のいずれか１項に記載の電気掃除機。
【請求項６】
前記吸込具は、上ケースと、下ケースとを備え、前記下ケースに前記車輪が設けられており、
前記軸受押さえ部材には、前記車輪が挿通される車輪開口部が設けられていることを特徴とする請求項１から請求項４のいずれか１項に記載の電気掃除機。
【発明の詳細な説明】
【技術分野】
【０００１】
本発明は、電気掃除機に関する。
【背景技術】
【０００２】
従来、一般的な電気掃除機は、掃除機本体と、この掃除機本体に接続されたホース部と、ホース部の端部に接続された操作管と、操作管の端部に接続された延長管と、延長管の端部に着脱可能に取り付けられる吸込具と、を備えて構成されている。
吸込具としては、パワーブラシが組み込まれたものが知られており、パワーブラシは、清掃面の塵埃を掻き込むことが可能な回転清掃体と、この回転清掃体を駆動するための電動機（駆動部）を含んで構成されている。
【０００３】
また、吸込具の下面にカットパイル状の紡績布で構成される刷毛と、刷毛の近傍に配置された車輪とを備えたものが知られている（例えば、特許文献１参照）。
この電気掃除機では、車輪の下端が使用開始前の刷毛の下端より上方に位置している。
この電気掃除機によれば、使用開始時において車輪は床面に接触しないが、使用を繰り返していくうちに刷毛が所定の厚み以上磨耗すると、車輪が床面に接触し、車輪により吸込具が支持されるようになっている。
【先行技術文献】
【特許文献】
【０００４】
【特許文献１】特許第４５４０６４５号公報
【発明の概要】
【発明が解決しようとする課題】
【０００５】
ところで、電気掃除機の吸引力を高めていくと、吸込具が床面に密着する傾向となり、特に絨毯上では、そのことが顕著になる。このため、絨毯上では吸込具を移動させる際の操作が重くなるという問題があった。
前記した従来の電気掃除機では、車輪の下端が使用開始前の刷毛の下端より上方に位置しているので、絨毯上において吸込具が吸引力により密着し易くなり、吸込具を移動させる際の操作力が増大するおそれがあった。
【０００６】
本発明は、絨毯上において吸込具を移動させる際の操作力を軽減することができる電気掃除機を提供することを目的とする。
【課題を解決するための手段】
【０００７】
前記課題を解決するために、本発明に係る電気掃除機は、吸引力を発生する掃除機本体に連通する吸込具と、前記吸込具の下面に開口する収容部に配置された回転清掃体と、前記回転清掃体の軸方向端部に配置され、前記回転清掃体を着脱自在に保持する軸受押さえ部材と、前記軸受押さえ部材の下面に設けられた刷毛と、前記軸受押さえ部材の下面から前記刷毛の下端より下方に突出する車輪と、を備え、前記軸受押さえ部材は、下面が下方へ膨出形成された前部と、下面が下方へ膨出形成された後部と、前記前部と前記後部とを連結し、清掃面との間に吸引路として機能する溝が設けられた中間部と、を備え、前記刷毛は、前記前部の下面の前後に亘って配置されるとともに、その後端部が前記溝に向けて延在していることを特徴とする。
【発明の効果】
【０００８】
本発明によれば、絨毯上において吸込具を移動させる際の操作力を軽減することができる電気掃除機が得られる。
【図面の簡単な説明】
【０００９】
【図１】本発明の一実施形態に係る電気掃除機の全体を示す外観斜視図である。
【図２】（ａ）は吸込具の上面図、（ｂ）は吸込具の下面図である。
【図３】（ａ）は軸受押さえ部材を後方斜め下方から見た斜視図、（ｂ）は同じく前方斜め上方から見た斜視図、（ｃ）は同じく斜視断面図である。
【図４】駆動側における軸受押さえ部材を外した状態を示す下面図である。
【図５】吸込具の側面図である。
【図６】吸込具の端部を断面とした拡大側面図である。
【図７】軸受押さえ部材の変形例を示す斜視図である。
【図８】軸受押さえ部材の変形例を示す斜視図である。
【発明を実施するための形態】
【００１０】
以下、本発明を実施するための形態を適宜図面を参照しながら説明するが、本実施形態は以下の内容に限定されるものではなく、本発明の要旨の範囲で任意に変更して実施可能である。
なお、以下では、第１の吸込具１０において、回転清掃体３０（図２（ｂ）参照）が配置される側（清掃時の前進方向）を前側、これとは反対に吸口継手１５が設けられる側（清掃時の後進方向）を後側として説明する。
【００１１】
図１に示すように、電気掃除機１は、掃除機本体２と、ホース部３と、手元操作スイッチＳＷ等が設けられた操作管４と、伸縮自在に設けられた延長管５と、第２の吸込具６および第１の吸込具１０とを備えて構成されている。
第１の吸込具（以下、単に「吸込具」という）１０は、図２（ｂ）に示すように、パワーブラシを構成する回転清掃体３０と、この回転清掃体３０を保持する軸受押さえ部材５０，５０とを備えている。
【００１２】
掃除機本体２の外殻は、図１に示すように、上部ケース２ａと下部ケース２ｂとによって覆われている。上部ケース２ａは上下方向の略中央より上側に位置し、下部ケース２ｂは上下方向の略中央より下側に位置する。掃除機本体２の内部には、吸引力を発生させる電動送風機２ｃや、この電動送風機２ｃの吸引力で集塵した塵埃を収容する図示しない集塵部等が内蔵されている。そして、操作管４の手元操作スイッチＳＷを操作すること等によって、電動送風機２ｃの運転の強弱切り替えや、吸込具１０に設けられたパワーブラシ（回転清掃体３０等、図２参照）の入り切り等が可能となっている。集塵部は、掃除機本体２の前側（接続口２ｄが形成される側）に収容される。上部ケース２ａの前側には、開閉可能な蓋が形成されており、蓋は集塵部の上方を開閉可能に塞いでいる。
【００１３】
操作管４は、延長管５に接続される先側からホース部３に接続される部分が円筒状に形成され、さらに、円筒状の部分から分岐して後方へ延びたグリップ４ａが形成される。手元操作スイッチＳＷは、このグリップ４ａに形成されている。また、グリップ４ａ内には、手元操作スイッチＳＷのための電装部品が設けられている。
なお、電気掃除機１の全体において方向を言うときには、吸込具１０から掃除機本体２への図示しない通風路に沿って、掃除機本体２に近い側を後側（後端）とし、これとは反対となる側を前端側（前端）として説明する。
【００１４】
ホース部３の後端は、掃除機本体２の集塵部と連通するように掃除機本体２の接続口２ｄに接続されている。また、ホース部３の前端は、操作管４の円筒状の部分に接続されている。操作管４には、前記した手元操作スイッチＳＷの他、延長管５が接続される図示しない開口部には、掃除機本体２から給電される図示しない給電端子が設けられている。この給電端子には、延長管５の後端に設けられた図示しない通電端子が接続される。
【００１５】
延長管５は、外管５ａと内管５ｂとを備え、外管５ａの前端に内管５ｂの後端が挿入されて外管５ａと内管５ｂとの内側に設けられた図示しない通風路が連通するように連結されて、伸縮自在に構成されている。
【００１６】
第２の吸込具６は、図１に示すように、延長管５の内管５ｂの前端に着脱可能に接続された吸込具である。第２の吸込具６の前端には、吸込具１０が着脱可能に接続される。第２の吸込具６は、その前端から吸込具１０を取り外すことにより、単独で塵埃を吸い込む吸込具として機能させることができる。なお、第２の吸込具６は、延長管５の外管５ａと操作管４との間に着脱可能に接続されてもよい。ただし、第２の吸込具６は、必須の構成ではない。
【００１７】
吸込具１０は、第２の吸込具６の前端に接続された吸込具であり、下面（清掃面に対峙する面）には、図２（ｂ）に示すように、開口部を有する吸込室（収容部）４０が形成されている。吸込室４０には、パワーブラシを構成する回転清掃体３０が回転可能に組み込まれている。パワーブラシは、回転清掃体３０と、この回転清掃体３０を駆動する駆動部としての電動機３５とを含んで構成され、清掃面となる床面等の塵埃を回転清掃体３０で掻き込むように作用する。
なお、吸込具１０は、延長管５の内管５ｂ（図１参照）の前端や、操作管４（図１参照）の前端に対して接続して使用することも可能である。
なお、本実施形態の電気掃除機１では、この吸込具１０の電動機３５に給電する電力を、掃除機本体２からホース部３、操作管４、延長管５、第２の吸込具６を通じて供給するように構成している。
【００１８】
吸込具１０は、図２（ｂ）に示すように、回転清掃体３０を覆うように下部分を形成する下ケース１１、および下ケース１１の上部に被着された上ケース１２（図２（ａ）参照）を備える吸口本体１３と、吸口本体１３の後部に取り付けられ、内部に空気の通路１４が形成された吸口継手１５とを備える。これらの下ケース１１、上ケース１２および吸口継手１５の主たる部品は、軽量で硬質の材料、例えば、ＡＢＳ樹脂等の合成樹脂材料で形成され、剛性が高められている。
【００１９】
吸口継手１５は、図２（ａ）（ｂ）に示すように、吸込具１０の後側において左右（幅）方向の中央部に設けられている。吸口継手１５は、下ケース１１と上ケース１２との間に図示しない一端が挟み込まれて吸口本体１３に回動可能に接続されている。そして、吸口継手１５は、清掃面に対して略水平な状態から略垂直な状態まで（上下方向に）回動可能な第１の接続管１５ａと、一端が第１の接続管１５ａの他端に回動可能に接続され、吸口本体１３に対し左右方向に回動可能な第２の接続管１５ｂとを有する。第２の接続管１５ｂの他端には、延長管５の内管５ｂ（図１参照）や第２の吸込具６（図１参照）が接続される。接続管１５ｂの上部には、図２（ａ）に示すように、電動機３５に電力を供給するための接続端子１５ｃが設けられている。
【００２０】
このような吸口継手１５は、例えば延長管５（図１参照、以下同じ）を清掃面に対して略垂直とした状態において、その延長管５を吸口本体１３の左右方向に向かって倒すことができる機能を有している。これにより、操作管４を左右方向のいずれかにねじることで、吸口本体１３を左右方向のいずれかに略９０度回転させ、吸口本体１３の左右方向を移動方向にした掃除が可能である。したがって、壁際に沿って吸込具１０を移動させて掃除したり、狭い隙間に吸込具１０を挿入したりして掃除することが可能である。
【００２１】
また、図２（ａ）に示すように、吸口本体１３には、前部から左右側方にかけて、下ケース１１と上ケース１２との間にバンパー１６が介設されている（図５参照）。バンパー１６は、ゴムやエラストマー等の弾性材料から形成されており、使用時に吸口本体１３内の気密を保持するとともに、電気掃除機１（図１参照、以下同じ）の使用時に吸口本体１３が家具等に衝突した際に、当該家具等への傷付きと吸口本体１３への衝撃を吸収する緩衝材の役割を果たす。
【００２２】
また、図２（ｂ）に示すように、吸口本体１３の下面（下ケース１１の下面）中央部には、ブラシ駆動スイッチ１１ａが設けられている。このブラシ駆動スイッチ１１ａは、吸込具１０の下面が清掃面に接触しているか否かを検出するスイッチである。ブラシ駆動スイッチ１１ａは、ローラ１１ａ１を備え、このローラ１１ａ１がばね等の付勢手段によって常に下ケース１１の下面から突出するように設けられている。そして、ローラ１１ａ１が飛び出して清掃面と接触していないと検出されたときには、吸込具１０に備わる図示しない回路基板によって電動機３５が停止される。また、ローラ１１ａ１が押し込まれて清掃面と接触していると検出されたときには、回路基板によって電動機３５が駆動される。
本実施形態では、ローラ１１ａ１が、吸込具１０の前後方向の中心線Ｏ１上に配置されている。
【００２３】
ローラ１１ａ１の後方となる吸口本体１３の後端には、車輪１１ｂが設けられている。この車輪１１ｂは、操作管４で操作される前後動や回転操作の応力を受けて吸込具１０の底面を清掃面に密着させ、これにより吸込具１０の操作性能を向上する役割をなす。
【００２４】
ブラシ駆動スイッチ１１ａの前方において、吸口本体１３の下面には、回転清掃体３０の軸方向（左右方向、幅方向）に沿って延びる固定刷毛１７が設けられている。この固定刷毛１７は、清掃面に接触して清掃面との気密を保持する役割をなす。
【００２５】
吸込室４０は、図２（ｂ）に示すように、下ケース１１の下面に開口しており、断面が略湾曲凹状を呈して、回転清掃体３０を回転可能に収容している。吸込室４０の後方には、吸込口４１が開口形成されている。この吸込口４１は、吸口継手１５の前記した通路１４に連通している。
【００２６】
また、吸込室４０の後方には、吸込室４０の隔壁（不図示）を隔てて、電動機３５が収容される収容室が形成されている。収容室は、下ケース１１と上ケース１２とで囲われて形成されており、吸込室４０に並設されている。
【００２７】
図２（ｂ）に示すように、回転清掃体３０は、筒状のコア（不図示）に、繊維等からなる刷毛状の複数の摺擦部材３１が設けられてなる。摺擦部材３１は、回転清掃体３０の軸方向に沿ってそれぞれ螺旋状に設けられており、清掃面との接触を可能としてその回転駆動力により清掃面の塵埃を掻き出すように作用する。例えば、清掃面がフローリング等の場合は、回転清掃体３０に対する摩擦抵抗が少ないため、電動機３５にかかる負荷は小さいが、清掃面が絨毯などの場合は、回転清掃体３０に対する摩擦抵抗が大きいため、電動機３５にかかる負荷が大きくなる。よって、電動機３５は、回転清掃体３０が絨毯などに接した場合にも回転清掃体３０を回転できるだけのトルクを備えている。
【００２８】
なお、回転清掃体３０の上部側に、吸込室４０における負圧の大きさによって開口する、図示しない吸込口を形成して、上ケース１２の上方空間に浮遊する塵埃をこの吸込口を通じて吸込室４０内に取り込むように構成してもよい。
また、回転清掃体３０は、１本の例を示したが、２本以上であってもよい。２本以上の複数である場合には互いに略平行に配置されるのが好ましい。
【００２９】
回転清掃体３０の端部には、図４に示すように、軸方向端部に延出する噛合い部３４が設けられている。この噛合い部３４は、下ケース１１の内部に設けられた大径プーリー６２の係合部６４に、凹凸にて係合するようになっている。これにより、回転清掃体３０は、後記する動力伝達手段６０を介して電動機３５により回転駆動される。そして、回転清掃体３０に掻き出された塵埃は、図２（ｂ）に示すように、吸込口４１から吸込通路４２を通じて吸口継手１５の通路１４に運ばれ、その後、延長管５（図１参照）やホース部３を通じて掃除機本体２の図示しない集塵室に吸引される。
【００３０】
動力伝達手段６０は、図４に示すように、電動機３５側に設けられた小径プーリー６１と、回転清掃体３０側に設けられた大径プーリー６２と、これらの間に掛け渡された歯付きベルト６３と、を備えている。
小径プーリー６１は、電動機３５の出力軸３６に装着されており、電動機３５の駆動によって回転する。大径プーリー６２は、吸込室４０の端部に設けられた軸受部４０Ａに回転可能に支持されている。大径プーリー６２には、略有底円筒状の係合部６４が連結されており、この係合部６４は、回転清掃体３０の噛合い部３４に対して凹凸にて係合するようになっている。
【００３１】
このような動力伝達手段６０によれば、電動機３５の駆動力を、小径プーリー６１、歯付きベルト６３、大径プーリー６２、および係合部６４を介して、回転清掃体３０側に伝達することができる。本実施形態では、電動機３５側に備わる小径プーリー６１の歯数を少なく設定しているとともに、回転清掃体３０側に備わる大径プーリー６２の歯数を多く設定している。これにより、減速比が大きくなっており、回転清掃体３０に付与される駆動トルクは高められたものとなっている。
【００３２】
吸込室４０の両端部には、軸受の一部を構成する一対の軸受押さえ部材５０，５０が装着される。一対の軸受押さえ部材５０，５０は、左右で略対称形状に形成されているので、ここでは下面右側に配置される軸受押さえ部材５０について説明する。
図３（ａ）（ｂ）に示すように、軸受押さえ部材５０は、前部５１と、後部５２と、前部５１と後部５２とを連結する中間部５３とを備え、これらが一体的に形成されいる。
【００３３】
前部５１は、下方へ膨出形成されており、図３（ｂ）に示すように、その上面内側には回転清掃体３０（図２（ｂ）参照）の端部を収容する凹部５１ａが形成されている。凹部５１ａ内には、回転清掃体３０の端部に当接してこれを保持するリブ５１ｂが突設されている。前部５１の内側面５１ｃは、回転清掃体３０の端部に対応して円弧状に切り欠かれている。
前部５１の下面５１ｄには、図３（ａ）に示すように、刷毛部材（刷毛）５４が配置されている。刷毛部材５４は、軸受押さえ部材５０上において、回転清掃体３０の軸線の延長上に位置しており（図２（ａ）参照）、下面５１ｄに設けられた縁部５１ｄ１の内側に配置されている。
【００３４】
このような刷毛部材５４が配置されていることにより、刷毛部材５４がクッション材として作用し、吸込具１０が前のめりの姿勢になった時等に、吸込具１０の角部が清掃面に直接触れないようにすることができ、清掃面の損傷を好適に防止することができる。なお、刷毛部材５４は、回転清掃体３０よりも軸方向外側に位置する（図２（ｂ）参照）ので、回転清掃体３０で捕集できなかった回転清掃体３０の外側の塵埃を好適に捕集することもできる。
【００３５】
ここで刷毛部材５４の刷毛方向は、吸込具１０の後方へ向かって傾斜する形態、つまり、刷毛部材５４の刷毛方向は、吸込具１０の進行方向に対して順目であるのが好ましい。これによって、刷毛部材５４が、吸込具１０の進行に対して抵抗になるのを抑制することができる。さらに、刷毛部材５４の下面（下端）５４ａ（図６参照）を塵埃が通りやすくなり、塵埃が刷毛部材５４の後方の中間部５３に設けられた溝５３ｂに導かれ易くなる。
【００３６】
後部５２は、下方へ膨出形成されており、図３（ａ）に示すように、その下面５２ａには車輪収容部５２ｂが凹設されている。車輪収容部５２ｂの開口の左右縁部には、軸受５２ｃが形成されている。
車輪収容部５２ｂには、軸受５２ｃに支軸５５ａを挿通支持した車輪５５が収容されている。車輪５５は、車輪収容部５２ｂに収容された状態で、後部５２の下面５２ａから突出している（図６参照）。車輪５５は、フエルト材やポリエステル系樹脂発泡体等により形成されている。これにより、車輪５５は、材質が均質であるとともに、適度な弾力性を有し、しかも、清掃面に対する好適な摩擦力を発揮することのできるものとなっている。また、車輪５５は、刷毛状とされた車輪に比べて摩耗性に優れたものとなっている。
なお、後部５２の下面５２ａは、前部５１の下面５１ｄよりも上方に位置している。
【００３７】
中間部５３には、図３（ａ）に示すように、溝５３ｂが形成されている。この溝５３ｂは、回転清掃体３０で捕集できなかった回転清掃体３０の外側の塵埃を捕集する、清掃面との間に形成される吸引路として機能する。
中間部５３の上面には、図３（ｂ）（ｃ）に示すように、前部５１と後部５２とに亘るリブ５３ａが形成されている。
【００３８】
このような車輪５５は、図６に示すように、刷毛部材５４の下面５４ａより高さｈ分、下方に突出している。したがって、フローリング等の清掃面上においては、車輪５５が清掃面に当接し、刷毛部材５４は清掃面から浮いて非当接状態となる。一方、絨毯上においては、車輪５５が毛足の中に柔軟に入り込むようにして当接すると同時に刷毛部材５４が絨毯の表面に当接する。
【００３９】
軸受押さえ部材５０は、図４に示すように、下ケース１１の両端部に対して取り付け取り外し可能（着脱可能）であり、図２（ｂ）に示すように、下面右側の軸受押さえ部材５０を取り外すことにより、回転清掃体３０を吸込室４０から取り外すことができる。
また、図４に示すように、下面左側の軸受押さえ部材５０を取り外すことによって、動力伝達手段６０が露出し、回転清掃体３０や大径プーリー６２等の取り外しが可能となっている。下面左側の軸受押さえ部材５０の固定は、図４に示すように、後部５２に設けられたねじ孔５２ｇに図示しないねじを挿通して締結することにより行うことができる。
【００４０】
一方、下面右側の軸受押さえ部材５０は、図２（ａ）に示すように、下ケース１１に設けられた係止部材１１ｃを回動操作することにより、着脱可能に構成されている。係止部材１１ｃは、下ケース１１と上ケース１２とにより上下方向から支持される回動軸１１ｄを中心として回動可能であり、図示しないばね部材により、下ケース１１に閉じられる方向に付勢されている。係止部材１１ｃは、図示しない係止片を有しており、下ケース１１に閉じられている状態で軸受押さえ部材５０に係止片が係止し、軸受押さえ部材５０を取り外し不能にロックするようになっている。また、係止部材１１ｃは、下ケース１１に閉じられた状態から手前に開く操作を行うことで、軸受押さえ部材５０のロックを解除するようになっている。
【００４１】
図２（ｂ）に示すように、下ケース１１の下面両端部に軸受押さえ部材５０，５０が固定された状態で、固定刷毛１７の軸線の延長上には、車輪５５，５５がそれぞれ位置している。したがって、板面等の硬く平らな清掃面上において、車輪５５，５５の当接により、車輪５５，５５間が清掃面から所定の高さに保持されることとなり、固定刷毛１７が必要以上に清掃面に密着することがなくなる。
【００４２】
また、図２（ｂ）に示すように、下ケース１１の下面両端部に軸受押さえ部材５０，５０が固定された状態で、車輪５５，５５は、吸込具１０の前後方向の中心線Ｏ１を対称軸とする左右対称位置に配置されている。そして、吸込具１０の前後方向の中心線Ｏ１上には、ブラシ駆動スイッチ１１ａのローラ１１ａ１が配置されているので、ローラ１１ａ１の中心位置と、車輪５５，５５の中心位置とを結んだ図示しない線分が、ローラ１１ａ１の中心位置を頂角とする二等辺三角形を構成するように配置されている。
【００４３】
以下では、前記構成によって得られる効果を説明する。
（１）車輪５５は、軸受押さえ部材５０の下面５１ｄに設けられた刷毛部材５４の下面５４ａより下方に突出しているので、絨毯上において吸込具１０が吸引力を発生すると、車輪５５が毛足の中に柔軟に入り込むようにして当接し、絨毯に対して吸込具１０が必要以上に密着することが防止される。これにより、絨毯上で吸込具１０を移動させる際の操作力が軽減され、吸込具１０の操作感を向上できる。また、回転清掃体３０の駆動による吸込具１０の前進時の操作性（自走性）を向上することができる。
（２）車輪５５は、フエルト材やポリエステル系樹脂発泡体等により形成されているので、絨毯上で滑り易く、吸込具１０を移動させる際の操作力が軽減され易い。したがって、吸込具１０の操作感を向上できる。また、車輪５５が絨毯上で滑り易いので、方向転換時の操作も行い易い。これにより、前記した吸口本体１３を左右方向のいずれかに略９０度回転させて吸口本体１３の左右方向を移動方向にした掃除も、簡単に行うことができる。
（３）固定刷毛１７の軸線の延長上に車輪５５，５５が配置されているので、固定刷毛１７が絨毯に沈み込んで密着してしまうのを抑えることができる。これにより、絨毯上で吸込具１０を移動させる際の操作力が軽減され、吸込具１０の操作感を向上できる。
（４）吸込具１０の前後方向の中心線Ｏ１を対称軸とする左右対称位置に車輪５５，５５が配置されているので、左右のバランスがよくなり、絨毯上で吸込具１０を移動させる際の操作力が軽減される。
また、絨毯上における吸込具１０の直進性、後進性に優れる。
（５）ローラ１１ａ１の中心位置と、車輪５５，５５の中心位置とを結んだ図示しない線分が、ローラ１１ａ１の中心位置を頂角とする二等辺三角形を構成するように配置されているので、左右のバランスを確保しつつ、前後のバランスもよくなり、絨毯上で吸込具１０を移動させる際の操作力がより軽減される。
（６）車輪５５は、軸受押さえ部材５０に設けられているので、軸受押さえ部材５０の取付により吸込具１０に車輪５５を配置することができ、生産性が向上する。
【００４４】
図７，図８に変形例の軸受押さえ部材５０を示す。図７に示した軸受押さえ部材５０は、車輪収容部５２ｂの上部に開口５２ｅを設けたものである。つまり、開口５２ｅを通じて、車輪収容部５２ｂと軸受押さえ部材５０の上面空間（内側空間）とが連通した構成となっている。
【００４５】
ここで、軸受押さえ部材５０の上面空間は、中間部５３の側部５３ｃに設けられたスリット５３ｄ等を通じて吸込室４０（吸込口４１）に連通している。したがって、運転時には、車輪収容部５２ｂから開口５２ｅ、スリット５３ｄ等を通じて吸込室４０に至るという吸い込み空気の流れが形成されることとなる。
これによって、車輪５５や支軸５５ａに付着したり絡み付いたりした塵埃を、吸込室４０に吸引することができ、車輪５５の滑らかな回転が維持される。
【００４６】
図８に示した軸受押さえ部材５０は、後部５２の下面５２ａに開口部５２ｆを形成して、その開口の左右縁部に形成した軸受５２ｃで車輪５５を支持するように構成したものである。つまり、開口部５２ｆを通じて、後部５２の下面５２ａの外部空間と内部空間（内側空間）とが連通した構成となっている。
【００４７】
したがって、運転時には、開口部５２ｆを通じて軸受押さえ部材５０の外側から内側に空気が吸い込まれ、その後、中間部５３の側部５３ｃに設けられたスリット５３ｄ等を通じて吸込室４０に空気が流れる。これによって、車輪５５や支軸５５ａに付着したり絡み付いたりした塵埃を、吸込室４０に吸引することができ、車輪５５の滑らかな回転が維持される。
【００４８】
前記実施形態では、軸受押さえ部材５０に車輪５５を設けたが、これに限られることはなく、下ケース１１側に車輪５５を設け、軸受押さえ部材５０に車輪５５を臨む車輪開口部（前記した開口部５２ｆに相当する開口部）を設け、軸受押さえ部材５０を取り付けたときにこの車輪開口部を通じて車輪５５が軸受押さえ部材５０の下面（下面５２ａ）に突出するように構成してもよい。
このような構成とすることによって、軸受押さえ部材５０の構成を簡単化することができ、組付性が向上する。
【符号の説明】
【００４９】
１      電気掃除機
２      掃除機本体
２ｃ    電動送風機
１０    第一の吸込具（吸込具）
１１ａ  ブラシ駆動スイッチ（駆動スイッチ）
１１ａ１    ローラ
１７    固定刷毛
３０    回転清掃体
４０    収容部
５０    軸受押さえ部材
５２ｂ  車輪収容部
５４    刷毛部材（刷毛）
５４ａ    下端
５５    車輪
Ｏ１    中心線
【図１】
0005723316.tif 000002
【図２】
0005723316.tif 000003
【図３】
0005723316.tif 000004
【図４】
0005723316.tif 000005
【図５】
0005723316.tif 000006
【図６】
0005723316.tif 000007
【図７】
0005723316.tif 000008
【図８】
0005723316.tif 000009